(57)【要約】【課題】コイルの隣接する各相を絶縁紙で好適に仕切る回転電機を提供する。【解決手段】回転電機は、ステータコア１１と、コイル１２と、中間絶縁紙１６とを備えている。ステータコアは、隣り合うティース２２間にスロット２３が形成されている。コイルは、多相分布巻の状態でステータコアに取り付けられている。コイルの隣接する各相が中間絶縁紙で仕切られている。中間絶縁紙は、第１リブ４１と、第２リブ４２と、中間連結部４３とを有する。第１リブは、スロットの第１スロット側面２５に面する。第２リブは、スロットの第２スロット側面２６に面する。中間連結部は、第１リブおよび第２リブを連結し、ステータコアの軸方向に沿って折り返された折返し部４８を有する。【選択図】図４
2019103311.tif 000002
【特許請求の範囲】
【請求項１】
周方向に沿って複数のティースを有し、隣り合うティース間にスロットが形成されたステータコアと、
束線による多相分布巻の状態で前記スロットに配置されることにより、前記ステータコアに取り付けられたコイルと、
前記コイルの隣接する各相を仕切る絶縁紙と、を備え、
前記絶縁紙は、
前記周方向における前記スロットの両側のティースのうち、一方のティースに面する第１リブと、
前記隣り合うティースのうち、他方のティースに面する第２リブと、
前記第１リブおよび前記第２リブを連結する連結部と、を有し、
前記連結部は、前記ステータコアの軸方向に沿って折り返された折返し部を有することを特徴とする回転電機。
【請求項２】
前記絶縁紙は、
前記第１リブ、前記第２リブおよび前記連結部で断面Ｗ字形状に形成されていることを特徴とする請求項１に記載の回転電機。
【請求項３】
前記絶縁紙は、
前記第１リブの開放端、および前記第２リブの開放端が前記スロットの奥側に向くよう配置されることを特徴とする請求項１または請求項２に記載の回転電機。
【請求項４】
前記絶縁紙は、
前記ステータコアの軸方向から挿入されることにより前記スロットに配置されることを特徴とする請求項１〜３のいずれか１項に記載の回転電機。
【請求項５】
前記第１リブおよび前記第２リブは、
幅寸法が前記束線の外径の２倍以上であることを特徴とする請求項１〜４のいずれか１項に記載の回転電機。
【発明の詳細な説明】
【技術分野】
【０００１】
本発明は、回転電機に関するものである。
【背景技術】
【０００２】
回転電機のステータに設けられるコイルを形成する巻線の形態は、大きくは「集中巻」と「分布巻」に分類できる。集中巻は、ステータコアの１つのティースの周りにまとめて巻線を巻回した構造である。集中巻のステータは、分布巻と比べるとコイル形状がシンプルでありコイルエンドが短い。しかし、集中巻のステータが構成する回転磁界は矩形波であるため、高調波成分による振動や騒音が比較的大きい。
一方、分布巻は、ステータコアの複数のティースを跨いで巻線を巻回した構造である。分布巻のステータでは、ステータコアの外部で異なる相のコイルが径方向及び軸方向に重なり合うため、集中巻と比較してコイルエンドは大きい。しかし、分布巻のステータが構成する回転磁界は正弦波に近いため、振動や騒音が小さく回転電機の出力性能は集中巻よりも優れる。
【０００３】
この特性の違いを鑑みて、騒音や振動の小さい（ＮＶ（Noise Vibration）性能の高い）回転電機を実現する場合には、分布巻のステータが採用される場合が多い。
さらに、分布巻のステータが構成する回転磁界の高調波成分を低減して、当該回転磁界をより一層正弦波に近づけるためには、ステータの同一スロットに異相の巻線がニ層に重ね巻された回転電機の構成が考えられる。
【０００４】
具体的には、スロットの内表面に沿ってスロット絶縁紙が設けられ、スロットの外径側に外側コイル（すなわち、先入れコイル）、スロットの内径側に内側コイル（すなわち、後入れコイル）がそれぞれ配置されている。また。外側コイルと内側コイルとの間に中間絶縁紙が設けられている。さらに、内側コイルの内側にウエッジ絶縁紙が設けられている。（例えば、特許文献１参照）
中間絶縁紙は、外側コイルと内側コイルとを仕切ることにより、例えば内側コイルが外側コイル側に侵入することを防止するためのものである。例えば、内側コイルが外側コイル側に侵入することを中間絶縁紙で防止することにより、内側コイルと外側コイルとの絶縁を確報することが可能になる。
【先行技術文献】
【特許文献】
【０００５】
【特許文献１】特開平１１−９８７４３号公報
【発明の概要】
【発明が解決しようとする課題】
【０００６】
しかし、特許文献１の中間絶縁紙は、スロット内の断面形状因子に関する技術について記載がなく、スロット内において適正な形状を確保して外側コイルと内側コイルとを中間絶縁紙で仕切ることが難しい。外側コイルと内側コイルとを中間絶縁紙で仕切る手段として、例えば、つぎの手段が考えられる。
【０００７】
すなわち、中間絶縁紙の先端部にストッパを形成し、内側コイルの渡り線の立上がりをストッパでガードする方法が知られている。この方法によれば、内側コイルをスロット内に配置する際に、配置される内側コイルで中間絶縁紙が所定の配置位置からずれることを防止することは可能である。しかし、この方法では、スロット内において適正な形状を確保して、外側コイルと内側コイルとを中間絶縁紙で仕切ることが難しく、例えば内側コイルが入り込み、内側コイルが外側コイル側に侵入することが考えられる。
【０００８】
ところで、外側コイルを中間絶縁紙とともにスロットの外径側へ押し込み、外側コイルの挿入開口率を確保する手段が考えられる。具体的には、スロット内に外側コイルを配置した状態において、スロット内に中間絶縁紙を配置した後、外側コイルの挿入開口率確保のために、外側コイルを中間絶縁紙とともにスロットの外径側へ押し込む。これにより、中間絶縁紙をスロット絶縁紙に接触させることが可能になる。
【０００９】
ここで、中間絶縁紙をスロットの外径側へ押し込む際に、中間絶縁紙とスロット絶縁紙との接触部状態、およびウエッジの様に中間絶縁紙の入るスロット幅よりも明らかに狭い形状によっては、スロット絶縁紙との間に擦れや反発力、あるいは押込み楔効果などが得られない。このため、中間絶縁紙とスロット絶縁紙との間の隙間に、例えば内側コイルが入り込み、内側コイルが外側コイル側に侵入することが考えられる。
すなわち、この方法では、スロット内において適正な形状を確保して、外側コイルと内側コイルとを中間絶縁紙（すなわち、絶縁紙）で仕切ることが難しく、例えば内側コイルが入り込み、内側コイルが外側コイル側に侵入することが考えられる。
【００１０】
そこで、この発明は、コイルの隣接する各相を絶縁紙で好適に仕切ることができる回転電機を提供するものである。
【課題を解決するための手段】
【００１１】
上記の課題を解決するために、請求項１に記載した発明の回転電機（例えば、実施形態の回転電機１）は、周方向に沿って複数のティース（例えば、実施形態のティース２２）を有し、隣り合うティース間にスロット（例えば、実施形態のスロット２３、第１〜第７のスロット２３Ａ〜２３Ｇ）が形成されたステータコア（例えば、実施形態のステータコア１１）と、束線（例えば、実施形態の束線１２ａ）による多相分布巻の状態で前記スロットに配置されることにより、前記ステータコアに取り付けられたコイル（例えば、実施形態のコイル１２）と、前記コイルの隣接する各相を仕切る絶縁紙（例えば、実施形態の中間絶縁紙１６）と、を備え、前記絶縁紙は、前記周方向における前記スロットの両側のティースのうち、一方のティースに面する第１リブ（例えば、実施形態の第１リブ４１）と、前記隣り合うティースのうち、他方のティースに面する第２リブ（例えば、実施形態の第２リブ４２）と、前記第１リブおよび前記第２リブを連結する連結部（例えば、実施形態の中間連結部４３）と、を有し、前記連結部は、前記ステータコアの軸方向に沿って折り返された折返し部（例えば、実施形態の折返し部４８）を有することを特徴とする。
【００１２】
このように、絶縁紙の第１リブおよび第２リブを連結部で連結し、連結部に折返し部を形成した。連結部に折返し部を形成することにより、連結部を折返し部で弾性変形可能に形成した。よって、束線から返し部に荷重がかかることにより、折返し部のスプリング効果により、折返し部を第１リブおよび第２リブ側に延ばすことができる。
【００１３】
これにより、第１リブを一方のティースの面に押し付けてフィットさせることができる。また、第２リブを他方のティースの面に押し付けてフィットさせることができる。したがって、コイルの隣接する各相を絶縁紙で好適に仕切ることができる。
この結果、コイルの絶縁被覆に加えて、絶縁紙の厚さ寸法を絶縁距離として確保できるため、更なる回転電機の高電圧化に対する安全率を確保できる。
【００１４】
また、コイルを多相分布巻とすることにより、各相のサイン波的トルク波形のトルク変動（ＰＶ）が緩やかになる。よって、Ｕ相巻線、Ｖ相巻線、Ｗ相巻線の合成波形のトルク変動を緩和できる。これにより、回転電機のトルクリップルを低減させることができ、特に、２４次の回転電機のＮＶ特性を高めることができる。
【００１５】
請求項２に記載した発明は、前記絶縁紙は、前記第１リブ、前記第２リブおよび前記連結部で断面Ｗ字形状に形成されていることを特徴とする。
【００１６】
このように、第１リブ、第２リブおよび連結部で中間絶縁紙が断面Ｗ字形状に形成される。よって、連結部の折返し部がＶ字形状に形成されている。具体的には、連結部の中央を第１リブの開口端や第２リブの開口端に向けて突出するように、連結部がＶ字形状に折り返されている。
よって、第１リブの開放端や第２リブの開放端側のコイルから連結部の中央に荷重が作用する。連結部の中央に作用する荷重は、第１リブに向けた分力や第２リブに向けた分力に分解される。各分力が第１リブや第２リブに向けて作用する。これにより、第１リブを一方のティースの面側に押し付け、かつ、第２リブを他方のティースの面側に押し付けることができる。したがって、コイルの隣接する各相を絶縁紙で好適に仕切ることができる。
【００１７】
請求項３に記載した発明は、前記絶縁紙は、前記第１リブの開放端（例えば、実施形態の第１リブの開放端４１ａ）、および前記第２リブの開放端（例えば、実施形態の第２リブの開放端４２ａ）が前記スロットの奥側に向くよう配置されることを特徴とする。
【００１８】
ここで、外側コイルや絶縁紙をスロットに配置した状態において、外側コイルの挿入開口率を確保するために外側コイルを絶縁紙とともにスロットの奥側へ押し込む。
そこで、請求項３において、第１リブの開放端、および第２リブの開放端をスロットの奥側に向くよう配置した。よって、絶縁紙がスロットの奥側に確実に押し込まれた状態において、絶縁紙の連結部の中央に外側コイルから荷重が作用する。連結部の中央に作用する荷重は、第１リブや第２リブに作用する分力に分解される。第１リブや第２リブに分力が作用することにより、第１リブを一方のティースの面に押し付けてフィットさせることができる。また、第２リブを他方のティースの面に押し付けてフィットさせることができる。これにより、絶縁紙の片寄りによる隙間からの各相コイルの侵入を防止できる。
【００１９】
ところで、スロットの内表面に沿ってコイルからの地絡防止目的でスロット絶縁紙が設けられている。よって、第１リブが外側コイルとスロット絶縁紙との間に介在された状態において、第１リブとスロット絶縁紙との間に摩擦力が発生する。また、第２リブが外側コイルとスロット絶縁紙との間に介在された状態において、第２リブとスロット絶縁紙との間に摩擦力が発生する。
これにより、第１リブや第２リブをスロット絶縁紙に張り付けた状態に保ち、絶縁紙を楔効果により確実にスロットに保持できる。したがって、コイルの隣接する各相を絶縁紙で一層好適に仕切ることができる。
【００２０】
請求項４に記載した発明は、前記絶縁紙は、前記ステータコアの軸方向（例えば、実施形態の出力シャフト５の軸線Ｃに沿う方向）から挿入されることにより前記スロットに配置されることを特徴とする。
【００２１】
ここで、絶縁部は、治具を用いてスロットに取り付けられる。治具は、絶縁紙を確実に保持するために、ストッパが設けられている。一方、絶縁紙の連結部には折返し部が形成されている。よって、折返し部のない平坦な連結部に比べて絶縁紙の幅寸法が大きくなる。このため、絶縁紙を治具の径方向から治具に配置することが難しく、治具の軸方向から絶縁紙をスロットに挿入するようにした。
そこで、請求項４において、ステータコアの軸方向から絶縁紙をスロットに挿入するようにした。これにより、治具を用いて絶縁紙をスロットに良好に取り付けることができる。
【００２２】
請求項５に記載した発明は、前記第１リブおよび前記第２リブは、幅寸法（例えば、実施形態の第１、第２のリブの幅寸法Ｗ１）が前記束線の外径（例えば、実施形態の束線の外径Ｄ１）の２倍以上であることを特徴とする。
【００２３】
このように、第１リブおよび第２リブの幅寸法を、束線の外径の２倍以上とした。よって、第１リブが束線とスロット絶縁紙との間に介在された状態において、第１リブとスロット絶縁紙との間に摩擦力を好適に発生させることができる。また、第２リブが外側コイルとスロット絶縁紙との間に介在された状態において、第２リブとスロット絶縁紙との間に摩擦力を好適に発生させることができる。
これにより、第１リブや第２リブをスロット絶縁紙に張り付けた状態に保ち、絶縁紙を楔効果により確実にスロットに保持できる。したがって、コイルの隣接する各相を絶縁紙で一層好適に仕切ることができる。
【発明の効果】
【００２４】
この発明によれば、絶縁紙の第１リブおよび第２リブを連結部で連結し、連結部に折返し部を形成した。よって、束線から返し部に荷重がかかることにより、折返し部のスプリング効果により、折返し部を第１リブおよび第２リブ側に延ばすことができる。これにより、コイルの隣接する各相を絶縁紙で好適に仕切ることができる。
【図面の簡単な説明】
【００２５】
【図１】本発明の一実施形態に係る回転電機を示す断面図である。
【図２】本発明の一実施形態に係る回転電機のステータを軸線に対して交差する方向に破断した断面図である。
【図３】本発明の一実施形態に係る回転電機において図２のＩＩＩ部を拡大した断面図である。
【図４】本発明の一実施形態に係る回転電機において図３のステータの要部を拡大した断面図である。
【図５】本発明の一実施形態に係る回転電機のステータから中間絶縁紙およびウエッジ絶縁紙を分解した斜視図である。
【図６】本発明の一実施形態に係る回転電機のステータの一部を直線状に示す概念図である。
【図７】本発明の一実施形態に係る回転電機の中間絶縁紙でＵ相巻線およびＶ相巻線を仕切る例を説明する断面図である。
【図８】本発明の一実施形態に係る第１スロットにＵ相巻線および中間絶縁紙を配置する工程を説明する断面図である。
【図９】本発明の一実施形態に係る第１スロットのＵ相巻線および中間絶縁紙を押込みパッドで押し込む工程を説明する断面図である。
【図１０】本発明の一実施形態に係る第１スロットにＶ相巻線およびウエッジ絶縁紙を配置する工程を説明する断面図である。
【図１１】本発明の一実施形態に係る第１スロットにＵ相巻線、中間絶縁紙、Ｖ相巻線およびウエッジ絶縁紙を配置した断面図である。
【図１２】本発明の一実施形態に係る回転電機の中間絶縁紙を示す斜視図である。
【図１３】本発明の一実施形態に係る回転電機の中間絶縁紙を押込み治具に配置した斜視図である。
【発明を実施するための形態】
【００２６】
以下、本発明の実施形態を図面に基づいて説明する。
なお、図４、図７、図９、図１１においては、ステータ３の構成の理解を容易にするために、スロット２３の束線１２ａを一部省略して図示する。
図１に示すように、回転電機１は、例えばハイブリッド自動車や電気自動車等の車両に搭載される走行用モータである。但し、本発明の構成は、走行用モータに限らず、発電用モータやその他用途のモータ、車両用以外の回転電機（発電機を含む）にも適用可能である。
【００２７】
回転電機１は、ケース２と、ステータ３と、ロータ４と、出力シャフト５と、を備えている。出力シャフト５は、ケース２に回転可能に支持されている。
ロータ４は、ロータコア６と、ロータコア６に取り付けられた磁石（図示せず）と、を有している。ロータコア６は、出力シャフト５に外嵌された筒状に形成されている。なお、以下の説明では、出力シャフト５の軸線Ｃに沿う方向を単に軸方向といい、軸線Ｃに直交する方向を径方向といい、軸線Ｃ周りの方向を周方向という場合がある。
【００２８】
図２、図３に示すように、ステータ３は、ステータコア１１と、コイル１２と、スロット絶縁紙１４と、中間絶縁紙１６と、ウエッジ絶縁紙１８とを備えている。
ステータコア１１は、ロータ４（図１参照）を径方向の外側から取り囲む筒状に形成されている。ステータコア１１は、電磁鋼板に対して打ち抜き加工等を施して形成された環状のプレートが軸方向に積層されて構成されている。なお、ステータコア１１は、いわゆる圧粉コアであっても構わない。
【００２９】
具体的には、ステータコア１１は、バックヨーク２１と、複数のティース２２とを有している。バックヨーク２１は、軸線Ｃと同軸上に配置された筒状に形成されている。
複数のティース２２は、周方向に所定間隔をおいて形成され、バックヨーク２１の内周面から径方向の内側に突出している。
周方向において隣り合うティース２２間に、スロット２３が所定間隔をおいて溝状に形成されている。すなわち、複数のティース２２および複数のスロット２３が周方向に交互に形成されている。
複数のスロット２３にコイル１２が配置され、コイル１２が複数のティース２２に取り付けられている。この状態において、ステータコア１１にコイル１２が装着されている。
【００３０】
図４に示すように、スロット２３は、ステータコア１１に軸方向へ貫通した状態に形成されている。スロット２３は、第１スロット側面２５と、第２スロット側面２６と、スロット湾曲面２７と、スロット開口部２８とを有する。第１スロット側面２５、第２スロット側面２６およびスロット湾曲面２７でスロット２３の内周面が溝状に形成されている。
【００３１】
第１スロット側面２５は、ステータコア１１の周方向において、スロット２３の両側のティース２２のうち、一方のティース２２の側面で形成されている。第２スロット側面２６は、ステータコア１１の周方向において、スロット２３の両側のティース２２のうち、他方のティース２２の側面で形成されている。
第１スロット側面２５の基端および第２スロット側面２６の基端がスロット湾曲面２７で連結されている。スロット湾曲面２７は、径方向外側に向けて凹むように湾曲状に形成されている。
また、スロット２３は、ステータ３の内周面３ａにスロット開口部２８が形成されている。すなわち、スロット２３は、径方向の内側が開放された、いわゆるオープンスロットである。
【００３２】
図４、図５に示すように、複数のスロット２３にはスロット絶縁紙１４がスロット２３の内周面（すなわち、第１スロット側面２５、第２スロット側面２６およびスロット湾曲面２７）の略全体にわたって配置されている。
スロット絶縁紙１４は、一対の側部３１，３２と、絶縁湾曲部３３とを有する。スロット絶縁紙１４は、帯状（テープ状）の絶縁紙が長さ方向（すなわち、ステータ３の軸方向）に沿って湾曲状に折り曲げられ、長さ方向に連続する絶縁湾曲部３３が形成されている。
以下、一対の側部３１，３２のうち、一方の側部３１を「第１絶縁側部３１」という。また、一対の側部３１，３２のうち、他方の側部３２を「第２絶縁側部３２」という。
【００３３】
スロット絶縁紙１４の第１絶縁側部３１は、スロット２３の第１スロット側面２５に接触されている。スロット絶縁紙１４の第２絶縁側部３２は、スロット２３の第２スロット側面２６に接触されている。
第１絶縁側部３１の基端および第２絶縁側部３２の基端が絶縁湾曲部３３で連結されている。絶縁湾曲部３３は、スロット２３のスロット湾曲面２７に沿ってＵ字形状に湾曲された状態に形成されている。絶縁湾曲部３３は、スロット２３のスロット湾曲面２７に接触されている。
スロット絶縁紙１４がスロット２３に収容された状態において、第１絶縁側部３１および第２絶縁側部３２は、スロット開口部２８より内側（例えばティース２２の先端突出部２２ａの内側）に収まっている。
【００３４】
スロット２３にスロット絶縁紙１４が収容された状態において、スロット２３には、束線１２ａによる多相分布巻によって複数のティース２２に巻回された３相（Ｕ相、Ｖ相、Ｗ相）の巻線で形成されるコイル１２が配置されている。
具体的には、スロット絶縁紙１４の内部にコイル１２が配置されている。
コイル１２は、複数のティース２２に取り付けられた状態で複数のスロット２３に配置されている。
【００３５】
以下、スロット２３に収容される各相巻線の分布と、各相巻線の複数のティース２２にわたる巻回の形態とを大小２層巻きコイルパターンを例に挙げて、図３、図６に基づいて説明する。なお、図３、図６において、構成の理解を容易にするために、便宜上、複数のスロット２３を時計回り方向に沿って順に第１スロット２３Ａ〜第７スロット２３Ｇとして説明する。
コイルパターンは必ずしも本説明に該当するものではなく、２層以上の他層巻きおよび大小２重巻き以上の多重巻きも想定内である。
【００３６】
図３、図６に示すように、第１スロット２３Ａ、第３スロット２３Ｃ、第５スロット２３Ｅ、および第７スロット２３Ｇには、コイル１２が径方向に２層に重なって配置されている。一方、第２スロット２３Ｂ、第４スロット２３Ｄ、および第６スロット２３Ｆには、コイル１２が径方向に１層に配置されている。
【００３７】
具体的には、コイル１２は、第１スロット２３Ａの外径側にＵ相巻線１２ｕが第１層として配置され、内径側にＶ相巻線１２ｖが第２層として配置されている。すなわち、Ｕ相巻線１２ｕおよびＶ相巻線１２ｖが径方向に２層に重なって配置されている。Ｕ相巻線１２ｕおよびＶ相巻線１２ｖは中間絶縁紙１６で仕切られている。
また、コイル１２は、第３スロット２３Ｃの外径側にＶ相巻線１２ｖが第１層として配置され、内径側にＷ相巻線１２ｗが第２層として配置されている。すなわち、第３スロット２３Ｃにおいて、Ｖ相巻線１２ｖおよびＷ相巻線１２ｗが径方向に２層に重なって配置されている。Ｖ相巻線１２ｖおよびＷ相巻線１２ｗは中間絶縁紙１６で仕切られている。
【００３８】
さらに、コイル１２は、第５スロット２３Ｅの外径側にＷ相巻線１２ｗが第１層として配置され、内径側にＵ相巻線１２ｕが第２層として配置されている。すなわち、コイル１２は、第５スロット２３Ｅにおいて、Ｗ相巻線１２ｗおよびＵ相巻線１２ｕが径方向に２層に重なって配置されている。Ｗ相巻線１２ｗおよびＵ相巻線１２ｕは中間絶縁紙１６で仕切られている。
また、コイル１２は、第７スロット２３Ｇの外径側にＵ相巻線１２ｕが第１層として配置され、内径側にＶ相巻線１２ｖが第２層として配置されている。すなわち、コイル１２は、第７スロット２３Ｇにおいて、Ｕ相巻線１２ｕおよびＶ相巻線１２ｖが径方向に２層に重なって配置されている。Ｕ相巻線１２ｕおよびＶ相巻線１２ｖは中間絶縁紙１６で仕切られている。
中間絶縁紙１６については後で詳しく説明する。
【００３９】
一方、コイル１２は、第２スロット２３Ｂの外径側にＶ相巻線１２ｖが第１層として配置され、内径側にＶ相巻線１２ｖが第２層として配置されている。すなわち、コイル１２は、第２スロット２３Ｂにおいて、Ｖ相巻線１２ｖおよびＶ相巻線１２ｖが径方向に１層に配置されている。
また、コイル１２は、第４スロット２３Ｄの外径側にＷ相巻線１２ｗが第１層として配置され、内径側にＷ相巻線１２ｗが第２層として配置されている。すなわち、コイル１２は、第４スロット２３Ｄにおいて、Ｗ相巻線１２ｗおよびＷ相巻線１２ｗが径方向に１層に配置されている。
【００４０】
さらに、コイル１２は、第６スロット２３Ｆの外径側にＵ相巻線１２ｕが第１層として配置され、内径側にＵ相巻線１２ｕが第２層として配置されている。すなわち、コイル１２は、第６スロット２３Ｆにおいて、Ｕ相巻線１２ｕおよびＵ相巻線１２ｕが径方向に１層に配置されている。
これにより、コイル１２は、Ｕ相巻線１２ｕ、Ｖ相巻線１２ｖ、Ｗ相巻線１２ｗが多相分布巻の状態でステータ３に装着されている。
第１スロット２３Ａ〜第７スロット２３Ｇにおいて、スロット開口部２８側の部分には、例えばウエッジ絶縁紙１８が設けられる。スロット開口部２８は、スロット絶縁紙１４に覆われていない部位である。
【００４１】
図４、図５に示すように、ウエッジ絶縁紙１８は、第１ウエッジ側部３６、第２ウエッジ側部３７、およびウエッジ連結部３８を有する。第１ウエッジ側部３６は、スロット絶縁紙１４の第１絶縁側部３１に接触している。第２ウエッジ側部３７は、スロット絶縁紙１４の第２絶縁側部３２に接触している。
第１ウエッジ側部３６と第２ウエッジ側部３７とがウエッジ連結部３８で連結されている。ウエッジ絶縁紙１８は、長さ方向（すなわち、ステータコア１１の軸方向）に垂直な断面形状が、例えばＵ字形状またはＶ字形状に折り曲げられている。
【００４２】
図３、図６に戻って、コイル１２のＵ相巻線１２ｕ、Ｖ相巻線１２ｖ、Ｗ相巻線１２ｗを多相分布巻とすることにより、Ｕ相巻線１２ｕ、Ｖ相巻線１２ｖ、Ｗ相巻線１２ｗの各相のサイン波的トルク波形のトルク変動（ＰＶ）を穏やかにできる。よって、コイル１２のＵ相巻線１２ｕ、Ｖ相巻線１２ｖ、Ｗ相巻線１２ｗの合成波形のトルク変動を緩和できる。これにより、回転電機のトルクリップルを低減させることができ、一例として、特に、２４次の回転電機１のＮＶ特性を高めることができる。
【００４３】
つぎに、複数のスロット２３に配置される中間絶縁紙１６のうち、第１スロット２３Ａに配置された中間絶縁紙１６を図４、図５、図７に基づいて代表例として説明する。
図４、図５に示すように、第１スロット２３Ａにおいて、コイル１２のＵ相巻線１２ｕ（第１層）と、コイル１２のＶ相巻線１２ｖ（第２層）とが径方向に２層に重なって隣接した状態で配置されている。隣接するＵ相巻線１２ｕおよびＶ相巻線１２ｖが中間絶縁紙１６で仕切られている。
【００４４】
中間絶縁紙１６は、第１リブ４１と、第２リブ４２と、中間連結部（連結部）４３とを有する。第１リブ４１、第２リブ４２、および中間連結部４３で中間絶縁紙１６が断面Ｗ字形状に形成されている。第１リブ４１の開放端４１ａおよび第２リブ４２の開放端４２ａで中間絶縁紙１６の開口部４４が形成されている。
【００４５】
第１リブ４１は、第１スロット２３Ａの第１スロット側面２５に面している。第１スロット側面２５にはスロット絶縁紙１４の第１絶縁側部３１が接触されている。よって、第１リブ４１は、スロット絶縁紙１４の第１絶縁側部３１に接触されている。
第２リブ４２は、第１スロット２３Ａの第２スロット側面２６に面している。第２スロット側面２６にはスロット絶縁紙１４の第２絶縁側部３２が接触されている。よって、第２リブ４２は、スロット絶縁紙１４の第２絶縁側部３２に接触されている。
第１リブ４１および第２リブ４２は、幅寸法がＷ１に形成されている。幅寸法Ｗ１は、コイル１２の束線１２ａの外径Ｄ１の２倍以上に設定されている。
第１リブ４１および第２リブ４２の幅寸法Ｗ１を束線１２ａの外径Ｄ１の２倍以上に設定した理由については後で詳しく説明する。
【００４６】
第１リブ４１の基端４１ｂおよび第２リブ４２の基端４２ｂが中間連結部４３で連結されている。
第１リブ４１の基端４１ｂと中間連結部４３の一端との境界が外側（すなわち、径方向内側）に突出するように折り曲げられることにより、第１折曲部４６が形成されている。第１折曲部４６は、ステータコア１１の軸方向（すなわち、出力シャフト５の軸線Ｃ（図１参照）に沿う方向）に沿って折り曲げられている。
また、第２リブ４２の基端４２ｂと中間連結部４３の他端との境界が外側（すなわち、径方向内側）に突出するように折り曲げられることにより、第２折曲部４７が形成されている。第２折曲部４７は、ステータコア１１の軸方向に沿って折り曲げられている。
【００４７】
中間連結部４３は折返し部４８を有する。折返し部４８は、第１リブ４１と第２リブ４２との中央が中間絶縁紙１６の開口部４４（すなわち、第１リブ４１の開放端４１ａおよび第２リブ４２の開放端４２ａ）に向けて突出するように折り曲げられている。
これにより、折返し部４８の中央に第３折曲部４９が形成されている。第３折曲部４９は、ステータコア１１の軸方向に沿って折り曲げられている。
すなわち、折返し部４８は、ステータコア１１の軸方向に沿って断面Ｖ字形状に折り返された状態に形成されている。
【００４８】
このように、中間絶縁紙１６は、第１リブ４１、第２リブ４２、および中間連結部４３で断面Ｗ字形状に形成されている。また、中間絶縁紙１６は、第１スロット２３Ａに収容される際に、第１リブ４１および第２リブ４２が互いに近づく方向に弾性変形可能に形成されている。
さらに、折返し部４８が断面Ｖ字形状に形成されている。よって、折返し部４８は、中間絶縁紙１６の幅方向に弾性変形可能に形成されている。
【００４９】
ここで、中間絶縁紙１６は、ステータコア１１の軸方向から挿入されることにより第１スロット２３Ａに配置される。ステータコア１１の軸方向から中間絶縁紙１６が挿入される際に、中間絶縁紙１６の第１リブ４１および第２リブ４２が互いに近づく方向に弾性変形され、さらに、折返し部４８が幅方向に収縮するように弾性変形した状態で第１スロット２３Ａに配置される。
【００５０】
また、第１スロット２３Ａに中間絶縁紙１６が収容された状態において、第１リブ４１の開放端４１ａ、および第２リブ４２の開放端４２ａが第１スロット２３Ａのスロット湾曲面２７側（すなわち、第１スロット２３Ａの部奥側）へ向くように配置されている。
第１リブ４１の開放端４１ａ、および第２リブ４２の開放端４２ａを第１スロット２３Ａのスロット湾曲面２７側へ向くように配置した理由については後で詳しく説明する。
【００５１】
図７に示すように、実施形態の回転電機１によれば、中間絶縁紙１６は、第１リブ４１および第２リブ４２が中間連結部４３で連結され、中間連結部４３に折返し部４８が形成されている。よって、中間連結部４３が第１スロット２３Ａに収容された状態において、中間連結部４３の折返し部４８をステータコア１１の周方向（すなわち、矢印Ａ方向）へ広げるように弾性変形させることが可能である。
折返し部４８が矢印Ａ方向へ広がるように弾性変形することにより、中間連結部４３で第１リブ４１および第２リブ４２を矢印Ａ方向に押圧する。
【００５２】
ここで、第１スロット２３Ａにおいて、中間連結部４３の開口部４４側（すなわち、第１スロット２３Ａのスロット湾曲面２７（図４参照）側）にコイル１２のＵ相巻線１２ｕが配置されている。
この状態において、コイル１２のＵ相巻線１２ｕから折返し部４８の第３折曲部４９に荷重Ｆ１が作用する。よって、弾性変形可能な折返し部４８のスプリング効果により、折返し部４８を荷重Ｆ１で第１リブ４１および第２リブ４２側に延ばすことができる。
【００５３】
これにより、第１リブ４１を第１スロット側面２５側に押し付けて第１絶縁側部３１にフィットさせることができる。また、第２リブ４２を第２スロット側面２６側に押し付けて第２絶縁側部３２にフィットさせることができる。したがって、コイル１２のＵ相巻線１２ｕと、Ｕ相巻線１２ｕに隣接するＶ相巻線１２ｖとの各相を中間絶縁紙１６で好適に仕切ることができる。
この結果、コイル１２の絶縁被覆に加えて、中間絶縁紙１６の厚さ寸法を絶縁距離として確保できるため、更なる回転電機１の高電圧化に対する安全率を確保できる。
【００５４】
また、中間連結部４３の折返し部４８がＶ字形状に形成されることにより、中間連結部４３の中央（すなわち、第３折曲部４９）が中間連結部４３の開口部４４に向けて突出されている。
よって、コイル１２のＵ相巻線１２ｕから第３折曲部４９に荷重Ｆ１が作用することにより、荷重Ｆ１が第１分力Ｆ２や第２分力Ｆ３に分解される。第１分力Ｆ２は、第１リブ４１に向けて作用する分力である。第２分力Ｆ３は、第２リブ４２に向けて作用する分力である。
【００５５】
第１分力Ｆ２が第１リブ４１に向けて作用することにより、第１リブ４１が第１スロット側面２５側の第１絶縁側部３１に押し付けられる。また、第２分力Ｆ３が第２リブ４２に向けて作用することにより、第２リブ４２が第２スロット側面２６側の第２絶縁側部３２に押し付けられる。
よって、第１リブ４１が第１絶縁側部３１に良好に保持され、第２リブ４２が第２絶縁側部３２に良好に保持される。これにより、中間絶縁紙１６が第１スロット２３Ａの所定位置に確実に配置される。したがって、コイル１２の隣接するＵ相巻線１２ｕおよびＶ相巻線１２ｖを中間絶縁紙１６で好適に仕切ることができる。
【００５６】
さらに、コイル１２のＵ相巻線１２ｕと第１絶縁側部３１との間に第１リブ４１が介在されている。この状態において、第１リブ４１と第１絶縁側部３１との間に摩擦力が発生する。また、コイル１２のＵ相巻線１２ｕと第２絶縁側部３２との間に第２リブ４２が介在されている。この状態において、第２リブ４２と第２絶縁側部３２との間に摩擦力が発生する。
よって、第１リブ４１を第１絶縁側部３１に張り付けた状態に保つことができる。また、第２リブ４２を第２絶縁側部３２に張り付けた状態に保つことができる。これにより、中間絶縁紙１６を楔効果により確実に第１スロット２３Ａに保持できる。したがって、コイル１２において、隣接するＵ相巻線１２ｕおよびＶ相巻線１２ｖを中間絶縁紙１６で好適に仕切ることができる。
【００５７】
加えて、第１リブ４１および第２リブ４２の各幅寸法Ｗ１が、コイル１２の束線１２ａの外径Ｄ１の２倍以上に設定されている。よって、第１リブ４１がＵ相巻線１２ｕの束線１２ａと第１絶縁側部３１との間に介在された状態において、Ｕ相巻線１２ｕの束線１２ａにより第１リブ４１と第１絶縁側部３１との間に摩擦力を好適に発生させることができる。
また、第２リブ４２がＵ相巻線１２ｕの束線１２ａと第２絶縁側部３２との間に介在された状態において、Ｕ相巻線１２ｕの束線１２ａにより第２リブ４２と第２絶縁側部３２との間に摩擦力を好適に発生させることができる。
【００５８】
これにより、第１リブ４１を第１絶縁側部３１に良好に張り付けた状態に保ち、さらに、第２リブ４２を第２絶縁側部３２に良好に張り付けた状態に保つことができる。よって、中間絶縁紙１６を楔効果により確実にスロット絶縁紙１４（すなわち、第１スロット２３Ａ）に保持できる。これにより、コイル１２の隣接するＵ相巻線１２ｕおよびＶ相巻線１２ｖを中間絶縁紙１６で一層好適に仕切ることができる。
【００５９】
つぎに、ステータコア１１の第１スロット２３Ａにコイル１２、中間絶縁紙１６およびウエッジ絶縁紙１８を装着する工程を図８〜図１１に基づいて説明する。
まず、第１スロット２３Ａにコイル１２のＵ相巻線１２ｕ、および中間絶縁紙１６を装着する工程を図８、図９に基づいて説明する。
【００６０】
図８（ａ）に示すように、第１スロット２３Ａに装着される前のコイル６０は、例えば、３相のうちＵ相巻線６０ｕに予め巻線にされている。
コイル６０のＵ相巻線６０ｕは、内側に突出するように湾曲した内側湾曲部６０ｕａと、外側に突出するように湾曲した外側湾曲部６０ｕｂと、径方向に延在する径方向延在部６０ｕｃとを有する。予め巻線とされたＵ相巻線６０ｕは、ステータコア１１の周方向に沿って内側湾曲部６０ｕａと外側湾曲部６０ｕｂとが交互に形成されるように、円周に沿った波状に形成されている。径方向延在部６０ｕｃは、内側湾曲部６０ｕａから外側湾曲部６０ｕｂに遷移する部分と、外側湾曲部６０ｕｂから内側湾曲部６０ｕａに遷移する部分とに形成されている。
内側湾曲部６０ｕａを、例えば下から上に移動するスライド部材（図示せず）により、ステータコア１１の上方に矢印Ｂの如く軸方向に移動させる。
【００６１】
図８（ｂ）に示すように、内側湾曲部６０ｕａは、ステータコア１１の上面１１ａより上側に突出するコイルエンド（渡りコイル）１２ｕａになる。外側湾曲部６０ｕｂは、ステータコア１１の下面１１ｂより下側に残り、コイルエンド（渡りコイル）１２ｕｂになる。径方向延在部６０ｕｃは、スロット開口部２８から第１スロット２３Ａに押し込まれてコイルサイド１２ｕｃになる。
【００６２】
この状態において、中間絶縁紙１６が、例えば下から上に移動するプッシャ８１の押圧などによって、径方向内側においてコイルサイド１２ｕｃの横まで矢印Ｃの如く移動する。中間絶縁紙１６は、第１スロット２３Ａに収容された状態において、コイルサイド１２ｕｃの横に配置される。
【００６３】
第１スロット２３Ａに対するＵ相巻線１２ｕや中間絶縁紙１６の装着は、手作業でも可能であるが、インサータ（図示せず）などの装置を使用することも可能である。インサータは、ステータコア１１の径方向内側にスライド部材（可動部材）を有するほか、可動部材に隣接した固定部材（図示せず）を有してもよい。
ステータコア１１の周方向における可動部材と固定部材との配置は特に限定されないが、可動部材と固定部材とが交互に配置されてもよく、可動部材の片側又は両隣に固定部材が配置されてもよい。
【００６４】
図９に示すように、コイル１２のＵ相巻線１２ｕ、および中間絶縁紙１６が第１スロット２３Ａに配置される。この状態において、コイル１２のＵ相巻線１２ｕを中間絶縁紙１６とともに押込みパッド６５の押込力Ｆ４で押し込む。
これにより、Ｕ相巻線１２ｕおよび中間絶縁紙１６が、第１スロット２３Ａのスロット湾曲面２７側へ押し込まれる。押込みパッド６５でＵ相巻線１２ｕを中間絶縁紙１６とともに押し込むことにより、コイル１２のＵ相巻線１２ｕの挿入開口率を確保できる。
【００６５】
ここで、中間絶縁紙１６は、第１リブ４１の開放端４１ａ、および第２リブ４２の開放端４２ａがスロット湾曲面２７に向けて配置されている。また、中間絶縁紙１６がスロット湾曲面２７側に押し込まれた状態において、中間連結部４３の第３折曲部４９にコイル１２のＵ相巻線１２ｕから荷重Ｆ５が作用する。第３折曲部４９に作用する荷重Ｆ５は、第１リブ４１に作用する第１分力Ｆ６や、第２リブ４２に作用する第２分力Ｆ７に分解される。
【００６６】
第１リブ４１に第１分力Ｆ６が作用し、第２リブ４２に第２分力Ｆ７が作用することにより、第１リブ４１を第１スロット側面２５側に押し付けて第１絶縁側部３１にフィットさせることができる。また、第２リブ４２を第２スロット側面２６側に押し付けて第２絶縁側部３２にフィットさせることができる。
さらに、中間絶縁紙１６は、第１リブ４１の開放端４１ａ、および第２リブ４２の開放端４２ａがスロット湾曲面２７に向けて配置されている。よって、第１リブ４１を楔効果により第１絶縁側部３１に確実に保持できる。また、第２リブ４２を楔効果により第２絶縁側部３２に確実に保持できる。これにより、中間絶縁紙１６が第１絶縁側部３１および第２絶縁側部３２の一方に片寄ることを防止できる。
【００６７】
図８（ｂ）に戻って、ステータコア１１の上面１１ａ側のコイルエンド１２ｕａを径方向外側（すなわち、矢印Ｄ方向）に拡張する。また、ステータコア１１の下面１１ｂ側のコイルエンド１２ｕｂを径方向外側（すなわち、矢印Ｄ方向）に拡張する。
【００６８】
つぎに、第１スロット２３Ａにコイル１２のＶ相巻線１２ｖ、およびウエッジ絶縁紙１８を装着する工程を図１０、図１１に基づいて説明する。
図１０（ａ）に示すように、第１スロット２３Ａに装着される前のコイル６１は、例えば、３相のＶ相巻線６１ｖに予め巻線にされている。
【００６９】
コイル６１のＶ相巻線６１ｖは、内側に突出するように湾曲した内側湾曲部６１ｖａと、外側に突出するように湾曲した外側湾曲部６１ｖｂと、径方向に延在する径方向延在部６１ｖｃとを有する。予め巻線とされたコイル６１のＶ相巻線６１ｖは、ステータコア１１の周方向に沿って内側湾曲部６１ｖａと外側湾曲部６１ｖｂとが交互に形成されるように、円周に沿った波状に形成されている。径方向延在部６１ｖｃは、内側湾曲部６１ｖａから外側湾曲部６１ｖｂに遷移する部分と、外側湾曲部６１ｖｂから内側湾曲部６１ｖａに遷移する部分とに形成されている。
内側湾曲部６１ｖａを、例えば下から上に移動するスライド部材（図示せず）により、ステータコア１１の上方に矢印Ｅの如く軸方向に移動させる。
【００７０】
図１０（ｂ）に示すように、内側湾曲部６１ｖａは、ステータコア１１の上面１１ａより上側に突出するコイルエンド（渡りコイル）１２ｖａになる。外側湾曲部６１ｖｂは、ステータコア１１の下面１１ｂより下側に残り、コイルエンド（渡りコイル）１２ｖｂになる。径方向延在部６１ｖｃは、スロット開口部２８から第１スロット２３Ａに押し込まれてコイルサイド１２ｖｃになる。
【００７１】
この状態において、ウエッジ絶縁紙１８が、例えば下から上に移動するプッシャ８２の押圧などによって、径方向内側においてコイルサイド１２ｖｃの横まで矢印Ｆの如く移動する。ウエッジ絶縁紙１８は、第１スロット２３Ａに収容された状態において、コイルサイド１２ｖｃの横に配置される。
【００７２】
第１スロット２３Ａに対するＶ相巻線１２ｖやウエッジ絶縁紙１８の装着は、手作業でも可能であるが、インサータ（図示せず）などの装置を使用することも可能である。インサータは、ステータコア１１の径方向内側にスライド部材（可動部材）を有するほか、可動部材に隣接した固定部材（図示せず）を有してもよい。
ステータコア１１の周方向における可動部材と固定部材との配置は特に限定されないが、可動部材と固定部材とが交互に配置されてもよく、可動部材の片側又は両隣に固定部材が配置されてもよい。
【００７３】
図１１に示すように、第１リブ４１が第１スロット側面２５側に押し付けて第１絶縁側部３１にフィットされている。また、第２リブ４２が第２スロット側面２６側に押し付けて第２絶縁側部３２にフィットされている。よって、中間絶縁紙１６が第１絶縁側部３１および第２絶縁側部３２の一方に片寄らないように配置されている。
これにより、第１リブ４１と第１絶縁側部３１との間にコイル１２のＶ相巻線１２ｖが侵入することを防止できる。また、第２リブ４２と第２絶縁側部３２との間にコイル１２のＶ相巻線１２ｖが侵入することを防止できる。
【００７４】
図８〜図１１で説明した工程を順次繰り返すことにより、ステータコア１１にコイル１２のＵ相巻線１２ｕ、Ｖ相巻線１２ｖ、およびＷ相巻線１２ｗ（図３参照）の３相のコイル１２が装着される。
【００７５】
つぎに、中間絶縁紙１６のインサータに使用可能な押込み治具７０の一例を図１２、図１３に基づいて説明する。
図１２、図１３に示すように、押込み治具（治具）７０は、第１保持部７１と、第２保持部７２と、第１ストッパ７３と、第２ストッパ７４とを備えている。
第１保持部７１は、中間絶縁紙１６の第１リブ４１を保持する部位である。第２保持部７２は、中間絶縁紙１６の第２リブ４２を保持する部位である。第１保持部７１と第２保持部７２との間に保持空間７６が形成されている。保持空間７６に中間絶縁紙１６が保持される。
【００７６】
第１ストッパ７３は、第１保持部７１に設けられている。第１ストッパ７３は、第１リブ４１の開放端４１ａに当接可能に形成されている。第２ストッパ７４は、第２保持部７２に設けられている。第２ストッパ７４は、第１リブ４１の開放端４１ａに当接可能に形成されている。
よって、中間絶縁紙１６が保持空間７６に配置された状態において、第１リブ４１の開放端４１ａを第１ストッパ７３に当接させることができる。また、第２リブ４２の開放端４２ａを第２ストッパ７４に当接させることができる。これにより、中間絶縁紙１６が保持空間７６から抜け出すことを、第１ストッパ７３および第２ストッパ７４で防止できる。
【００７７】
ここで、中間絶縁紙１６は、押込み治具７０を用いて第１スロット２３Ａに取り付けられる。押込み治具７０は、中間絶縁紙１６を保持空間７６に確実に保持するために、第１ストッパ７３および第２ストッパ７４が設けられている。
一方、中間絶縁紙１６の中間連結部４３には折返し部４８が形成されている。よって、折返し部４８のない平坦な中間連結部４３に比べて中間絶縁紙１６の幅寸法Ｗ２が大きくなる。このため、中間絶縁紙１６を押込み治具７０の径方向から保持空間７６に配置することが難しい。
【００７８】
そこで、中間絶縁紙１６を幅方向（すなわち、矢印Ｇ方向）に圧縮させるように弾性変形した状態で、押込み治具７０の軸方向から中間絶縁紙１６を保持空間７６に挿入するようにした。
加えて、押込み治具７０、および下部に装着された押し込み用プッシャ８１，８２（図８（ｂ）、図１０（ｂ）参照）を用いて中間絶縁紙１６やウエッジ絶縁紙１８を第１スロット２３Ａにステータコア１１の軸方向から挿入するようにした。これにより、中間絶縁紙１６を第２スロット２３Ｂに良好に取り付けることができる。
【００７９】
ここで、図４に示す中間絶縁紙１６の中間連結部４３を平坦に形成した場合を比較例として説明する。すなわち、比較例は、例えば、中間絶縁紙１６の中間連結部４３が平坦に形成されている。中間連結部４３を平坦に形成した場合、中間連結部４３にＵ相巻線１２ｕから荷重が作用することにより、中間連結部４３がスロット開口部２８側へ向けて湾曲状に変形することが考えられる。
よって、第１リブ４１と第１絶縁側部３１との間に第１の隙間が形成されることが考えられる。あるいは、第２リブ４２と第２絶縁側部３２との間に第２の隙間が形成されることが考えられる。このため、第１の隙間や第２の隙間を経てＶ相巻線１２ｖの束線１２ａがＵ相巻線１２ｕ側に侵入する虞がある。
【００８０】
ところで、第１の隙間や第２の隙間を抑えるために、中間連結部４３の寸法を、第１絶縁側部３１および第２絶縁側部３２間の幅寸法に合わせて的確な平坦に形成することが考えられる。しかし、中間連結部４３を第１スロット２３Ａに押込み治具７０（図１３参照）で押し込む工程や、第１スロット２３Ａに配置した中間連結部４３を押込みパッド６５（図９参照）で押し込む工程を考慮すると、中間連結部４３の幅が狭い場合には、第１リブ４１、第２リブ４２の一方がスロット絶縁紙１４に張り付くものの、片側に必ず隙間が発生する。中間連結部４３の幅が広い場合は山折りや傾斜が発生し、内側のコイル１２を挿入した際に、外側のコイル１２に侵入しやすい形状を構成してしまう。
【００８１】
これに対して、実施形態は、中間連結部４３に折返し部４８を形成して、中間絶縁紙１６をＷ形状に形成した。よって、中間絶縁紙１６のスプリング効果で第１リブ４１を第１絶縁側部３１にフィットさせることができ、第２リブ４２を第２絶縁側部３２にフィットさせることができる。これにより、中間絶縁紙１６の中間連結部４３を、実施形態のようにＶ字形状に形成することが好ましい。
また、前記Ｖ字形状のピッチは設置されるスロット２３の幅に対し同等以上、かつ、中間絶縁紙１６の両リブ４１，４２の角度はスロット２３の角度以上が好ましい。
併せて、中間絶縁紙１６に対する両リブ４１，４２の連結部のつなぎ目の外側にあたる半径Ｒは、およそコイル１２の束線１２ａの外径（すなわち、コイル束線径）Ｄ１未満であることが重要である。
【００８２】
なお、本発明の技術範囲は上述した実施形態に限定されるものではなく、本発明の趣旨を逸脱しない範囲において種々の変更を加えることが可能である。
例えば、前記実施形態では、中間連結部４３に折返し部４８を１個形成して、中間絶縁紙１６をＷ形状に形成した例について説明したが、これに限定しない。その他の例として、スロット２３の形状に対応させて、中間連結部４３に折返し部４８を複数個形成することも可能である。
また、前記実施形態では、折返し部４８をＶ字状に形成した例について説明したが、折返し部４８を、例えばＵ字状などの他の形状に形成することも可能である。
【符号の説明】
【００８３】
１………回転電機
１１……ステータコア
１２……コイル
１２ａ…束線
１６……中間絶縁紙（絶縁紙）
１８……ウエッジ絶縁紙
２２……ティース
２３……スロット
２３Ａ〜２３Ｇ…第１〜第７のスロット
２５……第１スロット側面
２６……第２スロット側面
２７……スロット湾曲面
２８……スロット開口部
４１……第１リブ
４１ａ…第１リブの開放端
４２……第２リブ
４２ａ…第２リブの開放端
４３……中間連結部（連結部）
４６……第１折曲部
４７……第２折曲部
４８……折返し部
４９……第３折曲部
Ｃ………出力シャフト５の軸線Ｃに沿う方向（ステータコアの軸方向）
Ｄ１……束線の外径
Ｗ１……第１、第２のリブの幅寸法
【図１】
2019103311.tif 000003
【図２】
2019103311.tif 000004
【図３】
2019103311.tif 000005
【図４】
2019103311.tif 000006
【図５】
2019103311.tif 000007
【図６】
2019103311.tif 000008
【図７】
2019103311.tif 000009
【図８】
2019103311.tif 000010
【図９】
2019103311.tif 000011
【図１０】
2019103311.tif 000012
【図１１】
2019103311.tif 000013
【図１２】
2019103311.tif 000014
【図１３】
2019103311.tif 000015